(57)【要約】【課題】シャンデリアを天井に取り付けた場合であっても、重量測定手段の測定の精度が低下することを防ぐことができるエレベータのかごを得る。【解決手段】互いに離間した一対の縦枠３、各縦枠３の上端部に連結された上枠４、および各縦枠３の下端部に連結された下枠５を有したかご枠１と、かご枠１の内側に設けられ、かご床６、壁７および天井８を有したかご室２と、下枠５に設けられ、かご床６を支持した弾性体１４およびこの弾性体１４の変形量を測定する距離測定部１５を有し、かご床６からの押圧力を用いて、かご室２内の乗客および積載物の重量を測定する重量測定手段１２と、上枠４に設けられ、壁７および天井８を支持した支持手段１３とを備えている。【選択図】図１
2010143654.tif 000002
【特許請求の範囲】
【請求項１】
互いに離間した一対の縦枠、各前記縦枠の上端部に連結された上枠、および各前記縦枠の下端部に連結された下枠を有したかご枠と、
前記かご枠の内側に設けられ、かご床、壁および天井を有したかご室と、
前記下枠に設けられ、前記かご床を支持した弾性体およびこの弾性体の変形量を測定する距離測定部を有し、前記かご床からの押圧力を用いて、前記かご室内の積載体の重量を測定する重量測定手段と、
前記上枠または前記縦枠に設けられ、前記壁および前記天井の内、少なくとも前記天井を支持した支持手段とを備えたことを特徴とするエレベータのかご。
【請求項２】
前記壁は、上端部が前記天井の周縁部に固定され、前記天井を介して、前記支持手段に支持されており、
前記壁に設けられた、前記壁の水平方向への振れを抑制する振れ抑制手段をさらに備えたことを特徴とする請求項１に記載のエレベータのかご。
【請求項３】
前記振れ抑制手段は、前記壁と前記縦枠との間に設けられた弾性体を有していることを特徴とする請求項２に記載のエレベータのかご。
【請求項４】
前記振れ抑制手段は、前記かご床または前記壁の何れか一方に設けられた係合部と、他方に設けられた、前記係合部に係合された被係合部とを有していることを特徴とする請求項２に記載のエレベータのかご。
【発明の詳細な説明】
【技術分野】
【０００１】
この発明は、縦枠、上枠および下枠を有したかご枠と、かご枠の内側に設けられ、かご床、壁および天井を有したかご室とを備えたエレベータのかごに関する。
【背景技術】
【０００２】
従来、互いに離間した一対の縦枠、各縦枠の上端部と連結された上枠、および各縦枠の下端部と接続された下枠を有したかご枠と、このかご枠の内側に設けられ、かご床、壁、天井を有したかご室とを備え、壁および天井がかご床に支持されているエレベータのかごが知られている（例えば、特許文献１参照）。
このものの場合、下枠には、かご室を支持するとともに、かご床からの押圧力を用いて、かご室内の乗客および積載物の重量を測定する重量測定手段が取り付けられ、この重量測定手段は、下枠に設けられた、かご床を支持した弾性体と、下枠とかご床との間の距離から弾性体の変形量を測定する距離測定部とを有している。
重量測定手段は、乗客および積載物がかご室内に乗り込むことによって変形した弾性体の変形量を用いて、かご室内の乗客および積載物の重量を測定する。
【０００３】
【特許文献１】実開昭５７−１３５６９号公報
【発明の開示】
【発明が解決しようとする課題】
【０００４】
しかしながら、このものの場合、例えば、シャンデリアを天井に取り付けることで、壁を介して天井を支持したかご床には、シャンデリアの重量による押圧力が加えられ、かご床から重量測定手段への押圧力が増大するので、重力測定手段には、単位重量当たりの変形量が小さい弾性体を用いなくてはならない。
その結果、乗客および積載物がかご室内に乗り込むことによって変形する弾性体の変形量が小さくなってしまい、重量測定手段の測定の精度が低下しまうという問題点があった。
【０００５】
この発明は、上述のような問題点を解決することを課題とするものであって、その目的は、例えば、シャンデリアを天井に取り付けた場合であっても、重量測定手段の測定の精度が低下することを防ぐことができるエレベータのかごを提供するものである。
【課題を解決するための手段】
【０００６】
この発明に係るエレベータのかごは、互いに離間した一対の縦枠、各前記縦枠の上端部に連結された上枠、および各前記縦枠の下端部に連結された下枠を有したかご枠と、前記かご枠の内側に設けられ、かご床、壁および天井を有したかご室と、前記下枠に設けられ、前記かご床を支持した弾性体およびこの弾性体の変形量を測定する距離測定部を有し、前記かご床からの押圧力を用いて、前記かご室内の積載体の重量を測定する重量測定手段と、前記上枠または前記縦枠に設けられ、前記壁および前記天井の内、少なくとも前記天井を支持した支持手段とを備えている。
【発明の効果】
【０００７】
この発明に係るエレベータのかごによれば、壁および天井の内、少なくとも天井が、上枠または縦枠に設けられた支持手段に支持されるので、例えば、シャンデリアを天井に取り付けた場合であっても、重量測定手段の測定の精度が低下することを防ぐことができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエレベータのかごを示す縦断面図、図２は図１のかごの側面を示す図である。
この実施の形態に係るエレベータのかごは、かご枠１とこのかご枠１の内側に設けられたかご室２とを備えている。
かご枠１は、互いに離間した一対の縦枠３と、各縦枠３の上端部に連結された上枠４と、各縦枠３の下端部に連結された下枠５とを有している。
かご室２は、下枠５の上方に離間して設けられたかご床６と、このかご床６の上方に離間して立設された壁７と、この壁７の上端部に周縁部が固定された天井８とを有している。
天井８の下面の中央部には、シャンデリア９が吊り下げられている。
壁７の内面には、大理石から構成された内装材１０が取り付けられている。
上枠４には、昇降路内に垂下された３本の主索１１の下端部が接続されている。
【０００９】
また、このエレベータのかごは、下枠５の上側に設けられた、かご床６を支持した重量測定手段１２と、一端部が上枠４に固定され、他端部が天井８に固定された一対の支持手段１３を備えている。
支持手段１３は、天井８と、天井８を介して壁７とを支持している。
重量測定手段１２は、下枠５に取り付けられた、かご床６を支持するとともにかご床６からの押圧力により変形する弾性体１４と、下枠５とかご床６との間の距離から弾性体１４の変形量を測定する距離測定部１５とを有している。
なお、距離測定部１５は、弾性体１４の変形量を直接測定してもよい。
重量測定手段１２は、積載体である乗客および積載物がかご室２内に乗り込むことによって変形した弾性体１４の変形量を用いて、かご室２内の乗客および積載物の重量を測定する。
【００１０】
下枠５の上部には、重量測定手段１２を介してかご床６を支持したかご床支持枠１６が取り付けられている。
かご床支持枠１６は、下枠５の上面でかご床６の奥行方向に延びた、互いに離間した一対の第１の梁１６ａと、各第１の梁１６ａの下面に固定され、各第１の梁１６ａを連結した、互いに離間した一対の第２の梁１６ｂとを有している。
【００１１】
壁７は、かご室２の出入口を形成した袖壁部７ａと、かご室２の横壁を構成する一対の横壁部７ｂと、かご室２の後壁を構成する後壁部７ｃとを有している。
袖壁部７ａの外側には、かご室２の出入口を開閉する戸１７が設けられ、この戸１７の上部には、戸１７を袖壁部７ａの外面に沿って水平方向に移動させるドアマシン１８が設けられている。
ドアマシン１８は、取付梁１９を介して、縦枠３に固定されている。
【００１２】
図３は図１のＡ部を拡大した図である。
横壁部７ｂの下端部の外面には、断面Ｌ字形状の横壁梁２０が取り付けられている。
かご床６の周縁部の上面には、全周に渡って幅木２１が取り付けられている。
幅木２１は、壁７および横壁梁２０に接触しないように形成されている。
【００１３】
図４は図１のＩＶ−ＩＶ線に沿った矢視断面図である。
支持手段１３は、天井８の上面に固定された断面コ字形状の天井梁２２と、この天井梁２２と上枠４とを貫通した調整ボルト２３と、この調整ボルト２３の下端部を天井梁２２に固定した第１のナット２４と、調整ボルト２３の上端部を上枠４に固定した第２のナット２５とを有している。
調整ボルト２３を回転することで、上枠４と天井８との間の距離を変化させ、かご床６と壁７との間の隙間を調整して、壁７がかご床６を押圧しないようにする。
【００１４】
以上説明したように、この実施の形態に係るエレベータのかごによれば、天井８が支持手段１３に支持されているので、天井８にシャンデリア９が取り付けられた場合であっても、シャンデリア９の重量による押圧力がかご床６に加えられず、重量測定手段には、単位重量当たりの変形量が小さい弾性体を用いる必要がないので、重量測定手段１２の測定の精度が低下することを防ぐことができる。
さらに、壁７が天井８を介して支持手段１３に支持されているので、壁７に内装材１０が取り付けられた場合であっても、内装材１０の重量による押圧力がかご床６に加えられず、重量測定手段には、単位重量当たりの変形量が小さい弾性体を用いる必要がないので、重量測定手段１２の測定の精度が低下することを防ぐことができる。
また、壁７および天井８の重心が偏心した場合であっても、壁７がかご床６を押圧しないので、かご床６が傾くことを防ぐことができる。
また、壁７をかご床６に固定しないので、壁７の据付時間を短縮することができる。
また、壁７に内装材１０が取り付けられ、天井８にシャンデリア９が取り付けられて、壁７および天井８の重量が増大した場合であっても、かご床６には、壁７および天井８の重量による押圧力が加えられないので、かご床６および重量測定手段１２の弾性体１４を強固な構造とする必要がなく、エレベータのかごの製造コストを低減させることができる。
また、複数の種類のエレベータのかごを製造する場合に、乗客および積載物の許容量にのみに対応して、かご床を製造すればよいので、かご床の種類を削減することができ、その結果、エレベータのかごの製造コストを低減させることができる。
【００１５】
なお、この実施の形態では、天井梁２２と、調整ボルト２３と、第１のナット２４と、第２のナット２５を有した支持手段１３について説明したが、勿論このものに限らず、天井８に一体に形成された係合部と、上枠４に一体に形成された、天井８の係合部に係合される被係合部とから構成された支持手段であってもよい。
これにより、天井８を上枠４に、簡単に吊り下げることができる。
また、上枠４に固定された、天井８を吊り下げ可能な梁材からなる支持手段であってもよい。
さらにまた、図５に示すように、天井梁２２を天井８の袖壁部７ａ側および後壁部７ｃ側に固定し、調整ボルト２３は、下端部が縦枠３から離間し、上端部が縦枠３に接近してもよい。
これにより、調整ボルト２３の下端部を中心としたかご室２の振れを抑制することができる。
【００１６】
実施の形態２．
図６はこの実施の形態に係るエレベータのかごを示す縦断面図、図７は図６のかごの側面を示す図である。
この実施の形態に係るエレベータのかごは、壁７の下端部の外面に取り付けられた振れ抑制手段２６をさらに備えている。
図８は図６のＢ部を拡大した図、図９は図８の振れ抑制手段２６等を示す平面図である。
振れ抑制手段２６は、横壁梁２０と、この横壁梁２０に固定された土台２７と、この土台２７に一端部が接続され、縦枠３に他端部が接続された複数の弾性体２８とを有している。
縦枠３は、横壁部７ｂに対向した対向部３ａと、この対向部３ａの両横から屈曲された、横壁部７ｂから垂直に離間する方向に延びた垂直部３ｂとを有し、土台２７は、縦枠３の対向部３ａおよび垂直部３ｂに対向するように形成されている。
横壁部７ｂの対向部３ａとこの対向部３ａに対向した土台２７の領域との間、および横壁部７ｂの垂直部３ｂとこの垂直部３ｂに対向した土台２７の領域との間に、弾性体２８が取り付けられている。
これにより、壁７の水平方向への振れが抑制される。
なお、振れ抑制手段２６は、横壁部７ｂと縦枠３とに接続された弾性体２８であってもよく、また、横壁部７ｂと縦枠３とを直接的に固定する締結手段であってもよい。
その他の構成は、実施の形態１と同様である。
【００１７】
以上説明したように、この実施の形態に係るエレベータのかごによれば、振れ抑制手段２６により、壁７の水平方向への振れが抑制されるので、乗客等が壁７を押圧することにより、または、地震等により、壁７に水平方向への力が加えられた場合であっても、壁７が水平方向に移動したり、壁７が鉛直方向に対して傾斜したりすることを抑制することができる。
【００１８】
また、振れ抑制手段２６は、弾性体２８を有しているので、簡単な構成で、壁７の水平方向への振れを抑制することができる。
【００１９】
なお、この実施の形態では、弾性体２８を有した振れ抑制手段２６について説明したが、勿論このものに限らず、図１０に示すように、例えば、幅木２１と、この幅木２１に固定され、先端部が上方に延びた係合部であるピン２９と、このピン２９に係合される貫通孔３０が形成された被係合部である横壁梁２０とを有した振れ抑制手段２６であってもよい。
また、ピン２９を横壁梁２０に固定し、このピン２９に係合される貫通孔３０を幅木２１に形成してもよい。
【００２０】
また、上記各実施の形態では、上枠４に取り付けられた支持手段１３が天井８を支持するエレベータのかごについて説明したが、勿論このものに限らず、例えば、上枠４に取り付けられた支持手段１３が壁７を直接支持し、この壁７を介して天井８が支持手段１３に支持されてもよく、また、上枠４ではなく縦枠３に取り付けられた支持手段１３が天井８および壁７を支持するエレベータのかごであってもよい。
また、壁７をかご床６に固定し、天井８のみを支持手段１３が支持するエレベータのかごであってもよい。
この場合、天井８にシャンデリア９が取り付けられ、壁７に内装材１０が取り付けられていないときに、重量測定手段には、単位重量当たりの変形量が小さい弾性体を用いる必要がないので、重量測定手段１２の測定の精度が低下することを防ぐことができる。
【図面の簡単な説明】
【００２１】
【図１】この発明の実施の形態１に係るエレベータのかごを示す縦断面図である。
【図２】図１のかごの側面を示す図である。
【図３】図１のＡ部を拡大した図である。
【図４】図１のＩＶ−ＩＶ線に沿った矢視断面図である。
【図５】この発明の実施の形態１に係るエレベータのかごの他の例を示す側面図である。
【図６】この発明の実施の形態２に係るエレベータのかごを示す縦断面図である。
【図７】図６のかごの側面を示す図である。
【図８】図６のＢ部を拡大した図である。
【図９】図８の振れ抑制手段等を示す平面図である。
【図１０】この発明の実施の形態２に係るエレベータのかごの他の例を示す要部拡大図である。
【符号の説明】
【００２２】
１  かご枠、２  かご室、３  縦枠、３ａ  対向部、３ｂ  垂直部、４  上枠、５  下枠、６  かご床、７  壁、７ａ  袖壁部、７ｂ  横壁部、７ｃ  後壁部、８  天井、９  シャンデリア、１０  内装材、１１  主索、１２  重量測定手段、１３  支持手段、１４  弾性体、１５  距離測定部、１６  かご床支持枠、１６ａ  第１の梁、１６ｂ  第２の梁、１７  戸、１８  ドアマシン、１９  取付梁、２０  横壁梁、２１  幅木、２２  天井梁、２３  調整ボルト、２４  第１のナット、２５  第２のナット、２６  振れ抑制手段、２７  土台、２８  弾性体、２９  ピン（係合部）、３０  貫通孔。
【図１】
2010143654.tif 000003
【図２】
2010143654.tif 000004
【図３】
2010143654.tif 000005
【図４】
2010143654.tif 000006
【図５】
2010143654.tif 000007
【図６】
2010143654.tif 000008
【図７】
2010143654.tif 000009
【図８】
2010143654.tif 000010
【図９】
2010143654.tif 000011
【図１０】
2010143654.tif 000012